(57)【要約】【課題】髪を傷めずに髪に強固に取り付けることができる頭飾品部材を提供する。【解決手段】頭飾品部材１は、固定部材１１及び外カバー部材１２を備える。固定部材１１は、撓性金属からなり、髪へ取り付ける。外カバー部材１２は、シリコーンからなり、０．５〜１０ｍｍの厚さにより固定部材１１の外表面を覆う。頭飾品部材１は、固定部材１１により髪を挟んで、外カバー部材１２の摩擦力により髪へ強固に取り付けるドロップクリップ構造である。外カバー部材１２は、凸部を有する。頭飾品部材１は、固定部材１１に接続される装飾部材をさらに備えてもよい。【選択図】図１
0003175441.tif 000002
【実用新案登録請求の範囲】
【請求項１】
固定部材及び外カバー部材を備えた頭飾品部材であって、
前記固定部材は、撓性金属からなり、髪へ取り付け、
前記外カバー部材は、シリコーンからなり、０．５〜１０ｍｍの厚さにより前記固定部材の外表面を覆うことを特徴とする頭飾品部材。
【請求項２】
前記固定部材により髪を挟んで、前記外カバー部材の摩擦力により髪へ強固に取り付けるドロップクリップ構造であることを特徴とする請求項１に記載の頭飾品部材。
【請求項３】
前記固定部材により髪を挟んで、前記外カバー部材の摩擦力により髪へ強固に取り付けるフレンチヘアクリップ構造であることを特徴とする請求項１に記載の頭飾品部材。
【請求項４】
前記固定部材を髪の間に差し込んで、前記外カバー部材の摩擦力により髪へ強固に取り付けるヘアースティック構造であることを特徴とする請求項１に記載の頭飾品部材。
【請求項５】
前記固定部材により髪を挟んで、前記外カバー部材の摩擦力により髪へ強固に取り付ける一文字状構造であることを特徴とする請求項１に記載の頭飾品部材。
【請求項６】
前記固定部材により髪を挟んで、前記外カバー部材の摩擦力により髪へ強固に取り付けるヘアバンド構造であることを特徴とする請求項１に記載の頭飾品部材。
【請求項７】
前記固定部材を髪に装着し、前記外カバー部材の摩擦力により髪へ強固に取り付けるカチューシャ構造であることを特徴とする請求項１に記載の頭飾品部材。
【請求項８】
前記外カバー部材は、凸部を有することを特徴とする請求項１に記載の頭飾品部材。
【請求項９】
前記固定部材に接続される装飾部材をさらに備えることを特徴とする請求項１に記載の頭飾品部材。
【考案の詳細な説明】
【技術分野】
【０００１】
本考案は、頭飾品部材に関し、特に、髪を傷めずに髪に強固に取り付けることができる頭飾品部材に関する。
【背景技術】
【０００２】
人々（特に女性）にとって髪型の美しさは重要である。美しい髪形は女性に自信を与えるとともに人々の鑑賞の対象ともなる。そのため、特に髪を愛する人々にとって、髪の毛を整えて髪型を美しくすることは、常に関心事の一つである。
【０００３】
一般に人々は、髪を整理するために頭飾品部材を使用する。頭飾品部材は、例えば、ドロップクリップ、フレンチヘアクリップ、かんざし、ヘアースティック、ヘアピンなど多種類ある。これらの頭飾品部材は、髪を挟んだり髪に差し込んだり髪に巻き付けたりして取り付けることにより所望の髪型を作ることができる。そのため、髪型を整える際に頭飾品部材を使用すると便利である。
しかし、従来の頭飾品部材は、髪型に取り付ける力が大きいため、髪を痛めることがある上にユーザが不快に感じることもある。反対に、頭飾品部材を取り付ける力が小さすぎる場合、髪から滑り落ちることがあり、使用が不便である。そのため、従来の頭飾品部材は髪を痛めずに髪に強固に取り付けることができなかった。
【考案の概要】
【考案が解決しようとする課題】
【０００４】
本考案の目的は、髪を傷めずに髪に強固に取り付けることができる頭飾品部材を提供することにある。
【課題を解決するための手段】
【０００５】
上記課題を解決するために、本考案の第１の形態によれば、固定部材及び外カバー部材を備えた頭飾品部材であって、前記固定部材は、撓性金属からなり、髪へ取り付け、前記外カバー部材は、シリコーンからなり、０．５〜１０ｍｍの厚さにより前記固定部材の外表面を覆うことを特徴とする頭飾品部材が提供される。
【０００６】
前記固定部材により髪を挟んで、前記外カバー部材の摩擦力により髪へ強固に取り付けるドロップクリップ構造であることが好ましい。
【０００７】
前記固定部材により髪を挟んで、前記外カバー部材の摩擦力により髪へ強固に取り付けるフレンチヘアクリップ構造であることが好ましい。
【０００８】
前記固定部材を髪の間に差し込んで、前記外カバー部材の摩擦力により髪へ強固に取り付けるヘアースティック構造であることが好ましい。
【０００９】
前記固定部材により髪を挟んで、前記外カバー部材の摩擦力により髪へ強固に取り付ける一文字状構造であることが好ましい。
【００１０】
前記固定部材により髪を挟んで、前記外カバー部材の摩擦力により髪へ強固に取り付けるヘアバンド構造であることが好ましい。
【００１１】
前記固定部材を髪に装着し、前記外カバー部材の摩擦力により髪へ強固に取り付けるカチューシャ構造であることが好ましい。
【００１２】
前記外カバー部材は、凸部を有することが好ましい。
【００１３】
前記固定部材に接続される装飾部材をさらに備えることが好ましい。
【考案の効果】
【００１４】
本考案の頭飾品部材は、実用性及び快適性を兼ね備える。頭飾品部材は、滑りにくいように髪へ強固に取り付けることができる。外カバー部材が備える弾性により、髪に取り付ける力を適宜調整することができるため、髪が傷つくことを防ぐことができる。固定部材が撓性を備えて外カバー部材が弾性を備えるため、押されたり、物が当たったり、引っ張られたりした際に適宜変形する上、外力が加えられなくなると原形に戻るため、髪又は皮膚が傷つくことを防ぐとともに頭飾品部材が損壊することを防ぐこともできる。
【図面の簡単な説明】
【００１５】
【図１】図１は本考案の第１実施形態による頭飾品部材を示す斜視図である。
【図２】図２は本考案の第１実施形態による頭飾品部材を示す部分断面図である。
【図３】図３は本考案の第１実施形態による頭飾品部材を使用するときの状態を示す模式図である。
【図４】図４は本考案の第２実施形態による頭飾品部材を使用するときの状態を示す模式図である。
【図５】図５は本考案の第３実施形態による頭飾品部材を使用するときの状態を示す模式図である。
【図６】図６は本考案の第４実施形態による頭飾品部材を使用するときの状態を示す模式図である。
【図７】図７は本考案の第５実施形態による頭飾品部材を使用するときの状態を示す模式図である。
【図８】図８は本考案の第６実施形態による頭飾品部材を使用するときの状態を示す模式図である。
【考案を実施するための形態】
【００１６】
以下、本考案の実施形態について図に基づいて説明する。なお、これによって本考案が限定されるものではない。
【００１７】
（第１実施形態）
図１〜図３を参照する。図１〜図３に示すように、本考案の第１実施形態に係る頭飾品部材１は、少なくとも固定部材１１及び外カバー部材１２から構成される。固定部材１１は、頭飾品部材１を髪へ取り付けることが可能なように撓性金属からなる。撓性金属とは、撓性を有する金属材料のことをいう。外カバー部材１２は、シリコーン（ｓｉｌｉｃｏｎｅ）からなり、０．５〜１０ｍｍの厚さＴにより固定部材１１の外表面を覆う。シリコーンは、弾力性、低熱伝導性、低化学反応性、無毒性、熱安定性、防水性、絶縁性、無粘着性、耐酸化性、耐紫外線などの特性を有する。
【００１８】
第１実施形態の頭飾品部材１は、ドロップクリップ（ｄｒｏｐ  ｈａｉｒｃｌｉｐ）構造を有する。図１に示すように、このドロップクリップ構造は、主に略水滴状の外枠部と、外枠部の内側に設けられて外枠部の一部に接続した内側部と、を含む。図３に示すように、実際に使用する際、外枠部と内側部とを互いに反対方向に引っ張り、固定部材１１の弾性回復力により髪２を外枠部と内側部との間に挟んで、外カバー部材１２の摩擦力により頭飾品部材１を髪２へ強固に取り付けて滑り落ちないようにする。外カバー部材１２が備える弾性及び塑性により、髪に取り付ける力を適宜調整することができるため、髪を痛めることを防ぐことができる。固定部材１１が備える撓性と、外カバー部材１２が備える弾性とにより、押されたり、物が当たったり、引っ張られたりした際に適宜変形して外力が加えられなくなると原形に戻ることができるため、髪２及び皮膚が傷つくことを防ぐとともに、頭飾品部材１が損壊することを防ぐこともできる。また、本実施形態の外カバー部材１２には、髪２の接触面積を増やして摩擦力を高めるために、複数の凸部１３が設けられてもよい。
【００１９】
（第２実施形態）
図４を参照する。図４に示すように、本考案の第２実施形態に係る頭飾品部材１ａは、フレンチヘアクリップ（Ｆｒｅｎｃｈ  ｃｌｉｐ）構造を有する。このフレンチヘアクリップ構造の特徴は、バネ部１４及び掛止部１５を有することにある。実際に使用する際、頭飾品部材１ａの固定部材１１は、バネ部１４の弾力と、掛止部１５の掛止力とにより髪２を挟み、外カバー部材１２を摩擦力により髪２へ強固に取り付ける。第２実施形態の頭飾品部材１ａのその他の特徴については、第１実施形態の頭飾品部材１と同じか類似するため、ここでは詳説しない。
【００２０】
（第３実施形態）
図５を参照する。図５に示すように、本考案の第３実施形態に係る頭飾品部材１ｂは、ヘアースティック（ｈａｉｒ  ｓｔｉｃｋ）構造を有する。このヘアースティック構造は、固定部材１１を髪２の間に差し込み、外カバー部材１２の摩擦力により頭飾品部材１ｂを髪２へ強固に取り付ける。第３実施形態の頭飾品部材１ｂのその他の特徴については、第１実施形態の頭飾品部材１と同じか類似するため、ここでは詳説しない。
【００２１】
（第４実施形態）
図６を参照する。図６に示すように、本考案の第４実施形態に係る頭飾品部材１ｃは、ヘアピン（ｈａｉｒ  ｐｉｎ）構造を有する。このヘアピン構造は、固定部材１１を折り曲げて一文字状に形成し、髪２を固定部材１１の間に入れてから外カバー部材１２の摩擦力により頭飾品部材１ｃを髪２へ強固に取り付ける。第４実施形態の頭飾品部材１ｃのその他の特徴については、第１実施形態の頭飾品部材１と同じか類似するため、ここでは詳説しない。
【００２２】
（第５実施形態）
図７を参照する。図７に示すように、本考案の第５実施形態に係る頭飾品部材１ｄは、ヘアバンド（ｈａｉｒ  ｂａｎｄ）構造を有する。このヘアバンド構造は、固定部材１１を折り曲げて髪２に巻き付けると、外カバー部材１２の摩擦力により頭飾品部材１ｄを髪２へ強固に取り付けることができる。第５実施形態の頭飾品部材１ｄのその他の特徴については、第１実施形態の頭飾品部材１と同じか類似するため、ここでは詳説しない。
【００２３】
（第６実施形態）
図８を参照する。図８に示すように、本考案の第６実施形態に係る頭飾品部材１ｅは、カチューシャ（ｈａｉｒ  ｈｏｏｐ）構造を有する。このカチューシャ構造は、固定部材１１を髪２に装着してから外カバー部材１２の摩擦力により、頭飾品部材１ｅを髪２へ強固に取り付ける。第６実施形態の頭飾品部材１ｅは、固定部材１１に接続されて装飾に用いる装飾部材１６をさらに含んでもよい。第６実施形態の頭飾品部材１ｅのその他の特徴については、第１実施形態の頭飾品部材１と同じか類似するため、ここでは詳説しない。
【００２４】
本考案の頭飾品部材は、勿論、上述の第１実施形態〜第６実施形態の態様だけに限定される訳ではなく、固定部材１１の撓性及び外カバー部材１２の様々な特性を利用し、髪から滑り落ちることがないように取り付けることができる上、髪を傷つけずに快適に使用することができるものであれば本考案に含まれる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  頭飾品部材
１ａ  頭飾品部材
１ｂ  頭飾品部材
１ｃ  頭飾品部材
１ｄ  頭飾品部材
１ｅ  頭飾品部材
２  髪
１１  固定部材
１２  外カバー部材
１３  凸部
１４  バネ部
１５  掛止部
１６  装飾部材
Ｔ  厚さ
【図１】
0003175441.tif 000003
【図２】
0003175441.tif 000004
【図３】
0003175441.tif 000005
【図４】
0003175441.tif 000006
【図５】
0003175441.tif 000007
【図６】
0003175441.tif 000008
【図７】
0003175441.tif 000009
【図８】
0003175441.tif 000010